(57)【要約】【課題】デジタルカメラにおいて、カメラの大型化もコストアップも招くことなく、良好な光学性能を維持する。【解決手段】ＣＣＤパッケージ５に、カメラ基板１７側に突出する複数の弾性端子１２を配設するとともに、カメラ基板１７に、それぞれ電気接点１３を備えた複数の端子孔を設け、各弾性端子１２を各端子孔に挿入して電気接点１３にそれぞれ弾接させ、ＣＣＤ５ａをカメラ基板７上の信号処理回路に電気的に接続する。【選択図】　　　　　図１
2004120464.tif 000002
【特許請求の範囲】
【請求項１】
筐体と、該筐体に固定されたレンズ鏡筒と、固体撮像素子を封入して前記レンズ鏡筒に固着された固体撮像素子パッケージと、前記固体撮像素子から出力される画像像信号を処理する信号処理回路を実装して前記筐体に固定されたカメラ基板とを備えたデジタルカメラにおいて、
前記固体撮像素子パッケージに、カメラ基板側に突出する複数の弾性端子を配設するとともに、前記カメラ基板に、それぞれ電気接点を備えた複数の端子孔を設け、前記弾性端子を前記端子孔に挿入して前記電気接点にそれぞれ弾接させ、前記固体撮像素子を前記信号処理回路に電気的に接続したことを特徴とするデジタルカメラ。
【請求項２】
前記弾性端子が前記端子孔に対して偏心した位置に配置されていることを特徴とする請求項１記載のデジタルカメラ。
【発明の詳細な説明】
【０００１】
【発明の属する技術分野】
本発明はデジタルカメラに関し、特に、レンズ鏡筒に設けられた固体撮像素子と、筐体に固定されたカメラ基板に実装されて上記固体撮像素子から出力される画像信号を処理する信号処理回路との接続構造に関するものである。
【０００２】
【従来の技術】
従来、デジタルカメラとして、例えば概略的断面図である図３に示すような構成を有するものが知られている。すなわち、前ケース２と後ケース３とからなる筐体１内に、レンズ鏡筒４が光軸方向の前端部４ａを前ケース２に固定された態様で取り付けられ、レンズ鏡筒４の光軸方向の後端部４ｂには、固体撮像素子（ＣＣＤ）５ａを封入しかつＣＣＤ５ａに対する撮像光の入射窓（図示せず）を前面に備えたＣＣＤパッケージ５が設けられている。
【０００３】
このＣＣＤパッケージ５は、その背面をパッケージ支持板６に固着され、パッケージ支持板６はレンズ鏡筒４の後端部４ｂに固定されている。また、前ケース２の後端部２ａには、ＣＣＤから出力される映像信号を処理する信号処理回路（図示せず）を背面に実装したカメラ基板７が固定され、このカメラ基板７の前面にパッケージ支持板６が固定されるとともに、カメラ基板７上の信号処理回路とＣＣＤ５ａとが電気的に接続されている。また、カメラ基板７は外部接続端子８を備えている。さらに、カメラ基板７には液晶表示パネル（ＬＣＤ）９が取り付けられ、このＬＣＤ９は、後ケース３に設けられた窓３ａから外部に臨むように構成されている。
【０００４】
しかしながら、図３に示す構成では、ＣＣＤパッケージ５を備えたレンズ鏡筒４の後端部４ｂがパッケージ支持板６を介して直接カメラ基板７に固定されているため、図４に矢示するような、前ケース２に対するカメラ基板７の取付け部、外部接続端子８、および後ケース３から受けるストレスＡ，Ｂ，Ｃによりレンズ鏡筒４の後端部４ｂに歪みが発生し、ＣＣＤ面が変形して光学性能が劣化するという問題があった。
【０００５】
この問題を解決するため、従来から、図４に示すような構成が提案されている。図４の構成では、ＣＣＤ基板１０がパッケージ支持板６とともにレンズ鏡筒４に固定され、このＣＣＤ基板１０とカメラ基板７との間に接続されたフレキシブルケーブル１１を介してＣＣＤ５ａと信号処理回路との電気的接続を行なうことにより、ＣＣＤパッケージ５を備えたレンズ鏡筒４の後端部をカメラ基板７から離すことを可能にして、カメラ基板７に加えられたストレスがＣＣＤ５ａに伝達されないようにしている。
【０００６】
また、基板に加えられたストレスがＣＣＤに伝達されないようにするために、例えば特許文献１には、ＣＣＤパッケージが支持部材を介してカメラ側の基板に取り付けられた構成が開示され、また特許文献２には、ＣＣＤパッケージが直接カメラ基板に取り付けられた構成が開示されている。
【０００７】
【特許文献１】特開平１１−３３１４８７号公報◎
【０００８】
【特許文献２】特開平８−１９５８９９号公報
【０００９】
【発明が解決しようとする課題】
ところで、図４に示す構成は、ＣＣＤ５ａにストレスを与えない点は優れているものの、ＣＣＤ用に基板１０を別個に設けることで、装置の大型化およびコストアップを招いていた。
【００１０】
また、特許文献１および２に開示された構成は、カメラ側の基板に直接ＣＣＤパッケージを取り付けて、小型化およびコストダウンを実現してはいるものの、特許文献１の構成では、ＣＣＤパッケージが支持部材の剛性が充分保たれない場合には、基板の変形や外部ストレスによりＣＣＤに変形を生じ、光学性能の劣化を招く欠点がある。また、特許文献２の構成では、外部端子（ＡＶ端子、ＵＳＢ端子、ＡＣジャック等）が本体基板に固定されている場合、ケースの孔に対する外部端子にずれを生じやすく、また光軸方向や外部端子のストレスを受けやすいため、やはりＣＣＤに変形が生じやすく、光学性能の劣化を招く欠点がある。
【００１１】
上述の事情に鑑み、本発明は、装置の大型化もコストアップも招かずに、良好な光学性能を維持することが可能なデジタルカメラを提供することを目的とするものである。
【００１２】
【課題を解決するための手段】
本発明は、筐体と、該筐体に固定されたレンズ鏡筒と、ＣＣＤのような固体撮像素子を封入して上記レンズ鏡筒に固着された固体撮像素子パッケージと、上記固体撮像素子から出力される画像信号を処理する信号処理回路を実装して上記筐体に固定されたカメラ基板とを備えたデジタルカメラにおいて、
上記固体撮像素子パッケージにカメラ基板側に突出する複数の弾性端子を配設するとともに、上記カメラ基板に、それぞれ電気接点を備えた複数の端子孔を設け、上記弾性端子を上記端子孔に挿入して上記電気接点にそれぞれ弾接させ、上記固体撮像素子を上記信号処理回路に電気的に接続したことを特徴とするものである。
【００１３】
上記弾性端子は上記端子孔に対して偏心した位置に配置されていることが好ましい。
【００１４】
【発明の効果】
本発明によれば、ＣＣＤのような固体撮像素子のパッケージに突設した複数の弾性端子を、カメラ基板に設けた端子孔の電気接点に弾接させることにより、固体撮像素子をカメラ基板上の信号処理回路に電気的に接続しているので、固体撮像素子を備えたレンズ鏡筒の後端部をカメラ基板に固定しないで済むため、カメラ基板に加わるストレスが固体撮像素子に伝達されるのを防止することができ、良好な光学特性を維持することができるとともに、ＣＣＤ基板のような部材を必要としないので、装置の小型化およびコストダウンを達成することができる。
【００１５】
そして、上記弾性端子を上記端子孔に対して偏心した位置に配置することにより、弾性端子を端子孔の電気接点に対してばね付勢された態様で弾接させることができるから、両者を良好な接触圧をもって接触させることができる。
【００１６】
【発明の実施の形態】
以下、図面を参照して、本発明の実施の形態について詳細に説明する。
【００１７】
図１は、本発明によるデジタルカメラの実施の形態の構成を示す概略的断面図である。図１において、前ケース２と後ケース３とからなる筐体１内に、レンズ鏡筒４が光軸方向の前端部４ａを前ケース２に固定された態様で取り付けられ、レンズ鏡筒４の光軸方向の後端部４ｂには、ＣＣＤ５ａを封入しかつＣＣＤ５ａに対する撮像光の入射窓（図示せず）を前面に備えたＣＣＤパッケージ５が設けられている。
【００１８】
このＣＣＤパッケージ５は、その背面をパッケージ支持板１６に固着され、パッケージ支持板１６はレンズ鏡筒４の後端部４ｂに固定されている。また、前ケース２の後端部２ａには、ＣＣＤ５ａから出力される画像信号を処理する信号処理回路を背面に実装したカメラ基板１７が固定され、このカメラ基板１７は、パッケージ支持板１６の後方に所定の間隔を保って配置されている。また、カメラ基板１７は外部接続端子１８を備えている。さらに、カメラ基板１７にはＬＣＤ９が取り付けられ、このＬＣＤ９は、後ケース３に設けられた窓３ａから外部に臨んでいる。
【００１９】
ＣＣＤパッケージ５の上下端には、図２（ａ）に示すような端子１２が複数並設され、これら端子１２は、パッケージ支持板１６に形成された孔１６ａを貫通して、パッケージ支持板１６の背面からカメラ基板１７側に突出している。これら端子１２は、例えば短冊状の金属板の折曲げにより形成されて、端子１２の延長方向と略直角方向に膨出する弾性接触部１２ａを備えた弾性端子である。
【００２０】
一方、カメラ基板１７には、内壁面に電気接点１３をそれぞれ備えた複数の端子孔１４が、ＣＣＤパッケージ５の弾性端子１２に対応して配列されており、各弾性端子１２が各端子孔１４に挿入されて各電気接点１３にそれぞれ弾接している。
【００２１】
本実施の形態においては、電気接点１３が鳩目状に形成されて円形の端子孔１４の周壁に固着されるとともに、図２（ｃ）から明らかなように、端子孔１４に対して弾性端子１２が弾性部１２ａ側に偏心した態様で配置されている。これにより、弾性端子１２を電気接点１３に対してばね付勢された態様で弾接させることができるので、両者を良好な接触圧をもって接触させることができる。したがって、振動等に対しても常に良好な電気的接触を保つことができる。
【００２２】
このように、本実施の形態においては、ＣＣＤパッケージ５に突設した複数の弾性端子１２を、カメラ基板１７の電気接点１３を備えた複数の端子孔１４に挿入して各電気接点１３にそれぞれ弾接させ、ＣＣＤパッケージ５内のＣＣＤ５ａをカメラ基板７上の信号処理回路に電気的に接続していることにより、ＣＣＤを備えたレンズ鏡筒４の後端部４ｂをカメラ基板１７に固定しないで済むから、カメラ基板７に加わるストレスがＣＣＤ５ａに伝達されるのを防止することができ、良好な光学特性を維持することができるとともに、図４に示したようなＣＣＤ基板１０を必要としないから、装置の小型化およびコストダウンを達成することができる。
【図面の簡単な説明】
【図１】本発明によるデジタルカメラの概略的断面図
【図２】端子孔の電気接点に対する弾性端子の相対位置関係および接触状態を示す断面図
【図３】従来のデジタルカメラの概略的断面図
【図４】従来のデジタルカメラの概略的断面図
【符号の説明】
１　　筐体
２　　前ケース
３　　後ケース
４　　レンズ鏡筒
５　　ＣＣＤパッケージ
５ａ　　ＣＣＤ
６，１６　　ＣＣＤパッケージ支持板
７，１７　　カメラ基板
８，１８　　外部接続端子
１２　　弾性端子
１２ａ　　弾性接触部
１３　　電気接点
１４　　端子孔
【図１】
2004120464.tif 000003
【図２】
2004120464.tif 000004
【図３】
2004120464.tif 000005
【図４】
2004120464.tif 000006